(57)【要約】【課題】  コモン給電配線に加えるコモン電位をフィードバックするときの精度を向上させる。【解決手段】  表示パネルに、共通電極に電気的に接続され、表示領域の周辺に環状に形成されたコモンバスラインと、当該コモンバスラインの電圧を制御基板にフィードバックするコモンセンシング配線と、走査信号駆動回路の駆動電力を供給するための走査信号駆動回路用電源配線と、前記コモンバスラインにコモン電圧を供給するコモン給電配線とを有し、前記コモンバスラインと、前記コモンセンシング配線と、前記走査信号駆動回路用電源配線とは、少なくとも前記走査信号駆動回路が接続される前記表示パネルの一辺において並走して形成され、かつ、前記コモンセンシング配線は、前記表示パネルの一辺上において、前記コモンバスラインと前記走査信号駆動回路用電源配線の間に形成されることを特徴とする。【選択図】        図６
2008275818.tif 000002
【特許請求の範囲】
【請求項１】
複数の走査信号線と、複数の映像信号線と、前記走査信号線と前記映像信号線で定義される画素領域内に設けられる画素電極および共通電極とを有する表示パネルと、
前記走査信号線に走査信号を供給する走査信号駆動回路と、前記映像信号線に映像信号を供給する映像信号駆動回路と、前記走査信号駆動回路及び前記映像信号駆動回路への供給信号を制御する制御回路を有する制御基板と、を備える液晶表示装置であって、
前記表示パネルは、前記共通電極に電気的に接続され、表示領域の周辺に環状に形成されたコモンバスラインと、当該コモンバスラインの電圧を前記制御基板にフィードバックするコモンセンシング配線と、前記走査信号駆動回路の駆動電力を供給するための走査信号駆動回路用電源配線と、前記コモンバスラインにコモン電圧を供給するコモン給電配線を有し、
前記コモンバスラインと、前記コモンセンシング配線と、前記走査信号駆動回路用電源配線は、少なくとも前記走査信号駆動回路が接続される前記表示パネルの一辺において並走して形成され、かつ、前記コモンセンシング配線は、前記表示パネルの一辺上において、前記コモンバスラインと前記走査信号駆動回路用電源配線の間に形成されることを特徴とする液晶表示装置。
【請求項２】
前記表示パネルは、複数個のプリント回路板が接続されており、前記走査信号駆動回路は当該プリント回路板上に形成され、
前記コモンセンシング配線、前記コモンバスライン、および前記走査信号駆動回路用電源配線は、いずれも前記プリント回路板を通って形成されることを特徴とする請求項１に記載の液晶表示装置。
【請求項３】
前記制御基板は、前記コモンバスラインに供給するコモン電位を生成するコモン電圧生成回路を備え、
前記コモン電圧生成回路は、当該コモン電圧生成回路で生成したコモン電位の電圧と、当該コモン電位の電圧を前記コモンバスラインおよびコモン給電配線に加えたときのコモン電位とを比較して、当該コモン電圧生成回路で生成するコモン電位の電圧を調整するフィードバック回路を有することを特徴とする請求項１に記載の液晶表示装置。
【請求項４】
前記コモンセンシング配線と前記コモンバスラインとの接続箇所は、前記走査信号駆動回路あるいは前記映像信号駆動回路が接続されない辺に形成されることを特徴とする請求項１に記載の液晶表示装置。
【発明の詳細な説明】
【技術分野】
【０００１】
本発明は、液晶表示装置に関し、特に、表示パネルの表示性能向上に関するものである。
【背景技術】
【０００２】
従来、一対の基板の間に液晶材料を封入した液晶表示パネルを有する液晶表示装置には、たとえば、ＩＰＳ方式のような横電界駆動方式のものがある。前記横電界駆動方式の液晶表示装置で用いられる液晶表示パネルは、前記一対の基板のうちの一方の基板に画素電極および共通電極（対向電極とも呼ばれる）が設けられている。
【０００３】
このとき、共通電極は、たとえば、基板に設けられた複数本の走査信号線または複数本の映像信号線と立体的に交差するコモン給電配線に接続されている。またこのとき、基板の表示領域の外側には、たとえば、表示領域を囲む環状のコモンバスラインが設けられており、コモン給電配線はコモンバスラインに接続されている。
【０００４】
前記コモン給電配線や対向電極に加えるコモン電位の電圧は、たとえば、タイミングコントローラー（Ｔ−ＣＯＮ）を有するプリント回路板に設けられたコモン電圧生成回路で生成される。そして、前記表示パネル（基板）に接続された複数個のプリント回路板から前記コモンバスラインに供給される。
【０００５】
また、前記コモン給電配線は、前記複数本の走査信号線や前記複数本の映像信号線と立体的に交差しているので、交差している領域に生じる交差容量がノイズとなり、コモン給電配線（共通電極）の電位にばらつきが生じることがある。そのため、近年の液晶表示パネルでは、コモン給電配線の電位を測定し、生成するコモン電位の電圧にフィードバックすることで、コモン給電配線（共通電極）の電位のばらつきを低減している（たとえば、特許文献１、特許文献２を参照。）。
【特許文献１】特開２００２−１６９１３８号公報
【特許文献２】特開平９−２１８３８８号公報
【発明の開示】
【発明が解決しようとする課題】
【０００６】
しかしながら、従来のフィードバック方法では、たとえば、コモン電位の電圧が入力される位置に近い場所でのコモン給電配線の電位を測定することが多い。そのため、測定しているコモン電位は、たとえば、前記複数本の走査信号線や前記複数本の映像信号線と立体的に交差している領域に生じる交差容量などの影響が少なく、フィードバックにより電位を安定化させる際の精度が低いという問題があった。その結果、たとえば、表示領域において、コモン電位の電圧が入力される位置に近い場所と遠い場所で画質にむらが生じるなどの問題があった。
【０００７】
また、コモン電位を検出してフィードバックするための配線は、基板上の表示領域外に配置することになる。このフィードバック用の配線が長ければ長いほど、配線を流れる電流が周辺の影響を受ける可能性があり、正確な検出電位をフィードバックできないという問題も生じる。
【０００８】
本発明の目的は、コモン給電配線に加えるコモン電位をフィードバックするときの精度を向上させることが可能な技術を提供することにある。
【０００９】
本発明の前記ならびにその他の目的と新規な特徴は、本明細書の記述および添付図面によって明らかになるであろう。
【課題を解決するための手段】
【００１０】
上記目的を達成するための本発明の特徴は、複数の走査信号線と、複数の映像信号線と、前記走査信号線と前記映像信号線で定義される画素領域内に設けられる画素電極および共通電極とを有する表示パネルと、前記走査信号線に走査信号を供給する走査信号駆動回路と、前記映像信号線に映像信号を供給する映像信号駆動回路と、前記走査信号駆動回路及び前記映像信号駆動回路への供給信号を制御する制御回路を有する制御基板と、を備える液晶表示装置であって、前記表示パネルは、前記共通電極に電気的に接続され、表示領域の周辺に環状に形成されたコモンバスラインと、当該コモンバスラインの電圧を前記制御基板にフィードバックするコモンセンシング配線と、前記走査信号駆動回路の駆動電力を供給するための走査信号駆動回路用電源配線と、前記コモンバスラインにコモン電圧を供給するコモン給電配線を有し、前記コモンバスラインと、前記コモンセンシング配線と、前記走査信号駆動回路用電源配線は、少なくとも前記走査信号駆動回路が接続される前記表示パネルの一辺において並走して形成され、かつ、前記コモンセンシング配線は、前記表示パネルの一辺上において、前記コモンバスラインと前記走査信号駆動回路用電源配線の間に形成されることである。
【発明の効果】
【００１１】
本発明によれば、コモン電位の検出精度を向上し、かつコモン電位供給の安定化を図ることが可能になる。
【発明を実施するための最良の形態】
【００１２】
以下、本発明について、図面を参照して実施の形態（実施例）とともに詳細に説明する。
なお、実施例を説明するための全図において、同一機能を有するものは、同一符号を付け、その繰り返しの説明は省略する。
【００１３】
図１乃至図５は、本発明が適用される表示パネルの一構成例を示す模式図である。
図１は、液晶表示パネルを観察者側からみた模式平面図である。図２は、図１のＡ−Ａ’線における模式断面図である。図３は、液晶表示パネルのＴＦＴ基板における表示領域の１画素の構成例を示す模式平面図である。図４は、図３のＢ−Ｂ’線における模式断面図である。図５は、図３のＣ−Ｃ’線における模式断面図である。
【００１４】
本発明は、複数本の走査信号線および複数本の映像信号線が設けられた基板に、走査信号線または映像信号線と立体的に交差するコモン給電配線が設けられている表示パネルに関するものである。このような表示パネルには、たとえば、ＩＰＳ方式のような横電界駆動型の液晶表示パネルがある。
【００１５】
液晶表示パネルは、たとえば、図１および図２に示すように、一対の基板１，２の間に液晶材料３を封入した表示パネルである。このとき、一対の基板１，２は、表示領域ＤＡの外側に環状に配置されたシール材４で接着されており、液晶材料３は、一対の基板１，２およびシール材４で囲まれた空間に封入されている。
【００１６】
一対の基板１，２のうち、観察者側からみた外形寸法が大きい方の基板１は、一般に、ＴＦＴ基板と呼ばれる。図１および図２では省略しているが、ＴＦＴ基板１は、ガラス基板などの透明な基板の表面の上に、複数本の走査信号線と、絶縁層を介して前記複数本の走査信号線と立体的に交差する複数本の映像信号線が形成されている。そして、２本の隣接する走査信号線と２本の隣接する映像信号線で囲まれた領域が１つの画素領域に相当し、各画素領域に対してＴＦＴ素子や画素電極などが配置されている。また、ＴＦＴ基板１と対をなす他方の基板２は、一般に、対向基板と呼ばれる。また、表示領域ＤＡは、ｘ方向およびｙ方向にマトリクス状に配置された多数の画素領域の集合で構成されている。
【００１７】
また、前記液晶表示パネルが、たとえば、ＩＰＳ方式のような横電界駆動方式の場合、ＴＦＴ基板１の画素電極と対向する共通電極（対向電極とも呼ばれる）は、ＴＦＴ基板１側に設けられる。
【００１８】
次に、横電界駆動方式の液晶表示パネルの表示領域ＤＡの１画素の構成例について、図３乃至図５を参照して簡単に説明する。
【００１９】
横電界駆動方式の液晶表示パネルの場合、画素電極および共通電極は、ＴＦＴ基板１側に設けられる。このとき、ＴＦＴ基板１は、たとえば、図３乃至図５に示すように、ガラス基板ＳＵＢの表面に、ｘ方向に延在する複数本の走査信号線ＧＬが設けられており、走査信号線ＧＬの上には、第１の絶縁層ＰＡＳ１を介してｙ方向に延在し、複数本の走査信号線ＧＬと立体的に交差する複数本の映像信号線ＤＬが設けられている。そして、２本の隣接する走査信号線ＧＬと２本の隣接する映像信号線ＤＬによって囲まれた領域が１つの画素領域に相当する。
【００２０】
また、ガラス基板ＳＵＢの表面には、たとえば、画素領域毎に、平板状の共通電極ＣＴが設けられている。このとき、ｘ方向に並んだ各画素領域の共通電極ＣＴは、走査信号線ＧＬと並行した共通信号線ＣＬによって電気的に接続されている。また、走査信号線ＧＬからみて、共通信号線ＣＬが設けられている方向と反対側には、共通電極ＣＴと電気的に接続されている共通接続パッドＣＰが設けられている。
【００２１】
また、第１の絶縁層ＰＡＳ１の上には、映像信号線ＤＬの他に、半導体層、ドレイン電極ＳＤ１、およびソース電極ＳＤ２が設けられている。このとき、半導体層は、たとえば、アモルファスシリコン（ａ−Ｓｉ）を用いて形成されており、各画素領域に対して配置されるＴＦＴ素子のチャネル層ＳＣとしての機能を持つものの他に、たとえば、走査信号線ＧＬと映像信号線ＤＬが立体的に交差する領域における走査信号線ＧＬと映像信号線ＤＬの短絡を防ぐもの（図示しない）がある。このとき、ＴＦＴ素子のチャネル層ＳＣとしての機能を持つ半導体層は、映像信号線ＤＬに接続しているドレイン電極ＳＤ１とソース電極ＳＤ２の両方が接続されている。また、図示は省略しているが、チャネル層ＳＣとドレイン電極ＳＤ１との接続界面、およびチャネル層ＳＣとソース電極ＳＤ２との接続界面には、部分的に、たとえば、チャネル層ＳＣとは不純物の種類または濃度が異なる半導体層からなるコンタクト層が介在している。
【００２２】
また、映像信号線ＤＬなどが形成された面（層）の上には、第２の絶縁層ＰＡＳ２を介して画素電極ＰＸが設けられている。画素電極ＰＸは、画素領域毎に独立した電極であり、第２の絶縁層ＰＡＳに設けられた開口部（スルーホール）ＴＨ１においてソース電極ＳＤ２と電気的に接続されている。また、共通電極ＣＴと画素電極ＰＸが、図３乃至図５に示したように、第１の絶縁層ＰＡＳ１および第２の絶縁層ＰＡＳ２を介して積層配置されている場合、画素電極ＰＸは、スリットＳＬが設けられたくし歯形状の電極になっている。
【００２３】
また、第２の絶縁層ＰＡＳ２の上には、画素電極ＰＸの他に、たとえば、走査信号線ＧＬを挟んで上下に配置された２つの共通電極ＣＴを電気的に接続するためのブリッジ配線ＢＲが設けられている。このとき、ブリッジ配線ＢＲは、走査信号線ＧＬを挟んで配置された共通信号線ＣＬおよび共通接続パッドＣＰとスルーホールＴＨ２，ＴＨ３によって接続されている。
【００２４】
また、第２の絶縁層ＰＡＳ２の上には、画素電極ＰＸおよびブリッジ配線ＢＲを覆うように配向膜５が設けられている。なお、図示は省略するが、対向基板２は、ＴＦＴ基板１の配向膜５が設けられた面に対向するように配置される。
【００２５】
液晶表示装置は、１画素の構成が図３乃至図５に示したような構成の液晶表示パネルに、ＣＣＦＬやＥＥＦＬなどの蛍光管、あるいはＬＥＤからなる光源を備えたバックライトユニットを組み合わせることで構成される。
【００２６】
以下、液晶表示装置に本発明を適用した場合の構成例および作用効果について説明する。
【実施例】
【００２７】
図６は、本発明による一実施例の液晶表示装置の概略構成を示す模式図である。
【００２８】
本実施例の液晶表示装置において、液晶表示パネルのＴＦＴ基板１には、たとえば、図６に示すように、表示領域ＤＡを縦断するコモン給電配線および横断するコモン給電配線が網目状に配置されている。このとき、表示領域ＤＡを縦断するコモン給電配線は、たとえば、ブリッジ配線ＢＲおよび共通電極ＣＴで構成される。また、表示領域を横断するコモン給電配線は、走査信号線ＧＬに並行した共通信号線ＣＬで構成される。また、表示領域ＤＡに網目状に配置されたコモン給電配線は、表示領域ＤＡの外側に環状に設けられたコモンバスラインＣＢＬに接続されている。
【００２９】
ＴＦＴ基板１は、たとえば、１つの辺（たとえば、左端の辺）に、走査信号線ＧＬに走査信号を供給する走査ドライバＩＣ  １６Ａが実装されたＣＯＦなどのフレキシブルプリント回路板６Ａが複数個接続されている。また、前記１つの辺と接するもう１つの辺（たとえば、上端の辺）には、映像信号線ＤＬに映像信号を供給するデータドライバＩＣ  １６Ｂが実装されたＣＯＦなどのフレキシブルプリント回路板６Ｂが複数個接続されている。また、フレキシブルプリント回路板６Ｂは、別のプリント回路板７に接続されている。またさらに、プリント回路板７は、タイミングコントローラー（Ｔ−ＣＯＮ）１８、および図示しないコモン電圧生成回路やフィードバック回路などを有する制御基板８に接続されている。
【００３０】
本実施例の液晶表示装置において、制御基板８内のコモン電圧生成回路で生成されたコモン電位の電圧は、コモン用給電配線Ｖｃｏｍによって、プリント回路板７およびフレキシブルプリント回路板６Ａ，６Ｂを介してＴＦＴ基板１のコモンバスラインＣＢＬに供給される。
【００３１】
また、コモンバスラインＣＢＬには、コモンセンシング配線Ｃｓｅｎが接続されている。コモンセンシング配線Ｃｓｅｎは、コモンバスラインＣＢＬおよびコモン給電配線の電位を測定し、制御基板８内のコモン電圧生成回路で生成するコモン電位の電圧を調整するためのものであり、フレキシブルプリント回路板６Ａ，６Ｂおよびプリント回路板７を介して、制御基板８に至るように配線されている。
【００３２】
また、制御基板８からは、プリント回路板７およびフレキシブルプリント回路板６Ｂを介して、フレキシブルプリント回路板６Ａ上の走査ドライバＩＣ  １６Ａの電源を供給するためのドライバ電源供給配線ＧＶＬが配線されている。
【００３３】
コモンセンシング配線Ｃｓｅｎの検出端Ｐ１は、たとえば、図６に示すように、コモンバスラインＣＢＬの４辺のうち、フレキシブルプリント回路板６Ａあるいは６Ｂが接続されない辺に接続する。またこのとき、検出端Ｐ１は、フレキシブルプリント回路板６Ａあるいは６Ｂが接続される辺の反対側に相当する領域ＡＲ１、またはＡＲ２内に設けることが望ましい。これにより、より変化の激しいコモン電位を検出することが可能になる。
【００３４】
コモンセンシング配線Ｃｓｅｎは、コモンバスラインＣＢＬの外側に、コモンバスラインＣＢＬから分岐させて設け、コモンバスラインＣＢＬの外周に沿ってＴＦＴ基板１のフレキシブルプリント回路板６Ａが接続される領域まで引き回す。このとき、コモンセンシング配線Ｃｓｅｎは、ＴＦＴ基板１に設けられた他の導電層と立体的に交差しないように引き回す。そのため、コモンセンシング配線Ｃｓｅｎは、たとえば、図６に示したように、フレキシブルプリント回路板６Ａを経由させて、フレキシブルプリント回路板６Ｂまで導き、プリント回路板７を介して制御基板８に接続させる。
【００３５】
制御基板８内の前記フィードバック回路は、コモンセンシング配線Ｃｓｅｎにより取得したコモンバスラインＣＢＬの電位と、制御基板８内のコモン電圧生成回路で生成した基準電位とを比較し、そのばらつきの度合いを算出する。そして、ばらつきが閾値以上である場合、たとえば、測定した電位と基準電位との差に基づき、コモン電圧生成回路に、測定されるコモンバスラインＣＢＬおよびコモン給電配線の電位が基準電位になるようなコモン電位の電圧を生成させ、また、増幅回路を通してコモン用給電配線Ｖｃｏｍへ出力する。
【００３６】
上記に示すように、本実施例においては、制御基板８からＴＦＴ基板１上までの間には、コモン用給電配線Ｖｃｏｍ、コモンセンシング配線Ｃｓｅｎ、およびドライバ電源供給配線ＧＶＬが配されている。またこのとき、コモンセンシング配線Ｃｓｅｎのうちの、フレキシブルプリント回路板６Ａを経由してプリント回路板７に達するまでの部分経路は、コモン給電配線Ｖｃｏｍおよびドライバ電源供給配線ＧＶＬと並走している。
【００３７】
なお、図６に示した構成では、フレキシブルプリント回路板６Ａ上のドライバ電源供給配線ＧＶＬが、走査ドライバＩＣ  １６Ａに接続されていないが、実際の液晶表示装置では、たとえば、フレキシブルプリント回路板６Ａ上において、ドライバ電源供給配線ＧＶＬは、コモンセンシング配線Ｃｓｅｎ、およびコモン用給電配線Ｖｃｏｍと交差する分岐配線を有しており、ドライバ電源供給配線ＧＶＬと走査ドライバＩＣ  １６Ａの電源端子とが接続されている。
【００３８】
そして、本実施例では、これらの各配線は、ＴＦＴ基板１の外側方向から、ドライバ電源供給配線ＧＶＬ、コモンセンシング配線Ｃｓｅｎ、コモン用給電配線Ｖｃｏｍの順番で配置される。これは、コモンセンシング配線Ｃｓｅｎに不要なノイズが入ることを低減するためであり、以下に、このような配置にしたときの作用効果を簡単に説明する。
【００３９】
図７および図８は、本実施例の液晶表示装置の作用効果を説明するための模式図である。
図７は、図６に示した構成と類似した構成の液晶表示装置の一構成例を示す模式図である。図８は、図６に示した構成の液晶表示装置と図７に示した構成の液晶表示装置との違いを説明するための波形図である。なお、図７において、図６と異なる点は、ドライバ電源供給配線ＧＶＬとコモンセンシング配線Ｃｓｅｎの配置の順番であり、図７に示した例では、コモンセンシング配線Ｃｓｅｎが一番外側にくるように配置されている。
【００４０】
図８に示した４つの波形図には、それぞれ３つの波形が示されており、左上および左下の波形図には、図７に示した制御基板８上の検出端Ｓ１およびＳ２で得られた波形、ならびに１フレームの開始タイミングを示すスタートパルスＳＰが示されている。なお、検出端Ｓ１ではコモン用給電配線Ｖｃｏｍの入力電圧を測定し、検出端Ｓ２ではコモンセンシング配線Ｃｓｅｎの検出電圧を測定している。
【００４１】
また、図８に示した４つの波形図のうちの、右上および右下の波形図には、本実施例である図６の構成における制御基板８上の検出端Ｓ１およびＳ２で得られた波形、ならびに１フレームの開始タイミングを示すスタートパルスＳＰが示されている。なお、図６に示した構成における検出端Ｓ１およびＳ２は、それぞれ、図７に示した構成における検出端Ｓ１およびＳ２に相当する位置にしている。
【００４２】
また、図８に示した４つの波形図のうちの、左上および右上の波形図は、それぞれ、バックライトを点灯して測定した波形であり、左下および右下の波形図は、それぞれ、バックライトを消灯して測定した波形である。また、図８に示した各波形図は、横軸が時間、縦軸が電圧値を示しており、各波形図の縦軸、横軸のスケールは全て同じである。
【００４３】
図８に示した各波形図を参照し、たとえば、検出端Ｓ２で得られるそれぞれの波形を比較すると、左側の図７に示した構成における波形よりも、右側の本実施例の構成における波形のほうが、振幅が小さいことが分かる。これは、バックライトが点灯している時でも消灯している時でも共通の結果である。このことから、コモンセンシング配線Ｃｓｅｎを、一番外側に配置するよりも、ドライバ電源供給配線ＧＶＬとコモン用給電配線Ｖｃｏｍとの間に配置したほうが、コモンセンシング配線Ｃｓｅｎにノイズが乗りにくいといえる。
【００４４】
コモンセンシング配線Ｃｓｅｎにノイズが乗ることの影響は、コモン用給電配線Ｖｃｏｍの入力電圧である検出端Ｓ１の波形を見ることで確認できる。すなわち、コモン用給電配線Ｖｃｏｍは、コモンセンシング配線Ｃｓｅｎの結果を基に調整・増幅を行い、出力するものであるため、コモンセンシング配線Ｃｓｅｎに乗ったノイズがより強調されて現れる。図８に示した各波形図の検出端Ｓ１における波形を見ると、左側の図７に示した構成における波形よりも、右側の本実施例の構成における波形のほうが、より振幅が小さく、きれいな波形で出力されていることが分かる。
【００４５】
また、バックライトの点灯時と消灯時とを比較すると、図７に示した構成では、バックライトが点灯している時に、前記ノイズ以外にも特定の周期のうねり（ウェービングと呼ぶこともある）が、検出端Ｓ１およびＳ２のいずれの波形にも乗っていることが分かる。前記うねりの周期は、たとえば、図８の左上の波形図にＷで示した時間間隔であり、具体的には１２０μｓから１３０μｓ程度である。そのため、前記うねりは、バックライトの点灯周波数が、コモンセンシング配線Ｃｓｅｎの信号に影響を与えたことにより生じていると考えられる。
【００４６】
これに対して、本実施例の構成では、図８の右上の波形図を見ればわかるように、バックライトが点灯している時に、このようなウェービングは見られない。したがって、本実施例の液晶表示装置のように、コモンセンシング配線Ｃｓｅｎをドライバ電源供給配線ＧＶＬとコモン用給電配線Ｖｃｏｍの間に形成することで、バックライトによるうねりの影響も防止することができるといえる。
【００４７】
上記に示すように、本実施例では、コモンセンシング配線Ｃｓｅｎをドライバ電源供給配線ＧＶＬとコモン用給電配線Ｖｃｏｍの間に形成することで、コモンセンシング配線Ｃｓｅｎに重畳するノイズを軽減でき、ひいては、コモン用給電配線Ｖｃｏｍの電位を精度よく安定化させることができる。
【００４８】
以上、本発明を、前記実施例に基づき具体的に説明したが、本発明は、前記実施例に限定されるものではなく、その要旨を逸脱しない範囲において、種々変更可能であることはもちろんである。
【００４９】
たとえば、本発明は、コモンセンシング配線Ｃｓｅｎを用いてコモン電位をフィードバックする構成を有する液晶表示装置であれば、液晶の駆動方式によらず適用可能である。すなわち、本発明は、１画素の構成が図３乃至図５に示したような構成の横電界駆動方式の液晶表示装置に限らず、たとえば、ＶＡやＴＮなどの縦電界駆動方式の表示パネルを有する液晶表示装置にも適用可能である。
【図面の簡単な説明】
【００５０】
【図１】液晶表示パネルを観察者側からみた模式平面図である。
【図２】図１のＡ−Ａ’線における模式断面図である。
【図３】液晶表示パネルのＴＦＴ基板における表示領域の１画素の構成例を示す模式平面図である。
【図４】図３のＢ−Ｂ’線における模式断面図である。
【図５】図３のＣ−Ｃ’線における模式断面図である。
【図６】本発明による一実施例の液晶表示装置の概略構成を示す模式図である。
【図７】図６に示した構成と類似した構成の液晶表示装置の一構成例を示す模式図である。
【図８】図６に示した構成の液晶表示装置と図７に示した構成の液晶表示装置との違いを説明するための波形図である。
【符号の説明】
【００５１】
１…ＴＦＴ基板
ＳＵＢ…ガラス基板
ＧＬ…走査信号線
ＣＬ…共通信号線
ＣＰ…共通接続パッド
ＣＴ…共通電極
ＰＡＳ１…第１の絶縁層
ＤＬ…映像信号線
ＳＣ…ＴＦＴ素子のチャネル層（半導体層）
ＳＤ１…ドレイン電極
ＳＤ２…ソース電極
ＰＡＳ２…第２の絶縁層
ＰＸ…画素電極
ＳＬ…スリット
ＢＲ…ブリッジ配線
ＴＨ１，ＴＨ２，ＴＨ３…スルーホール
２…対向基板
３…液晶材料
４…シール材
５…配向膜
６Ａ，６Ｂ…フレキシブルプリント回路板
７…プリント回路板
８…制御基板
１６Ａ…走査ドライバＩＣ
１６Ｂ…データドライバＩＣ
１８…タイミングコントローラー（Ｔ−ＣＯＮ）
Ｖｃｏｍ…コモン給電配線
Ｃｓｅｎ…コモンセンシング配線
ＧＶＬ…ドライバ電源供給配線
Ｓ１，Ｓ２…検出端
【図１】
2008275818.tif 000003
【図２】
2008275818.tif 000004
【図３】
2008275818.tif 000005
【図４】
2008275818.tif 000006
【図５】
2008275818.tif 000007
【図６】
2008275818.tif 000008
【図７】
2008275818.tif 000009
【図８】
2008275818.tif 000010